(57)【特許請求の範囲】
【請求項１】
デバイス非依存の色空間の目標色値をデバイス依存の色空間の色値に変換する変換手段と、
前記変換されたデバイス依存の色空間の色値を調整するため、デバイス非依存の色空間の目標色値に対応するデバイス依存の色空間の色値と、当該色値を所定の割合で各々変位させた複数の色値とからなるカラーチャートを作成する作成手段と、
前記作成されたカラーチャートを印刷する印刷手段と、
前記印刷されたカラーチャートを測色し、デバイス非依存の色空間の測色値を求める測色手段と、
前記デバイス非依存の色空間の目標色値と所定の関係を有する複数の測色値を前記デバイス非依存の色空間上で選択する選択手段と、
前記選択された複数の測色値をデバイス依存の色空間の複数の色値に変換し、当該複数の色値から、前記デバイス非依存の色空間の目標色値に対応するデバイス依存の色空間の目標色値を算出する算出手段と、
前記算出されたデバイス依存の色空間の目標色値に基づいて前記変換手段を調整する調整手段と
を備えることを特徴とする画像処理装置。
【請求項２】
前記選択手段は、前記デバイス非依存の色空間の目標色値をデバイス非依存の空間上で囲む複数の測色値を選択することを特徴とする請求項１記載の画像処理装置。
【請求項３】
前記デバイス依存の色空間はＣＭＹＫ色空間であり、
前記作成手段は、デバイス非依存の色空間の目標色値に対応するＣＭＹＫ値と、当該ＣＭＹＫ値のうちのＣＭＹ値を所定の割合で各々変位させた複数のＣＭＹＫ値とからなるカラーチャートを作成することを特徴とする請求項１に記載の画像処理装置。
【請求項４】
デバイス非依存の色空間の目標色値をデバイス依存の色空間の色値に変換する変換ステップと、
前記変換されたデバイス依存の色空間の色値を調整するため、デバイス非依存の色空間の目標色値に対応するデバイス依存の色空間の色値と、当該色値を所定の割合で各々変位させた複数の色値とからなるカラーチャートを作成する作成ステップと、
前記作成されたカラーチャートを印刷する印刷ステップと、
前記印刷されたカラーチャートを測色し、デバイス非依存の色空間の測色値を求める測色ステップと、
前記デバイス非依存の色空間の目標色値と所定の関係を有する複数の測色値を前記デバイス非依存の色空間上で選択する選択ステップと、
前記選択された複数の測色値をデバイス依存の色空間の複数の色値に変換し、当該複数の色値から、前記デバイス非依存の色空間の目標色値に対応するデバイス依存の色空間の目標色値を算出する算出ステップと、
前記算出されたデバイス依存の色空間の目標色値に基づいて前記変換ステップの処理を調整する調整ステップと
を備えることを特徴とする画像処理方法。
【請求項５】
前記選択ステップは、前記デバイス非依存の色空間の目標色値をデバイス非依存の空間上で囲む複数の測色値を選択することを特徴とする請求項４記載の画像処理方法。
【請求項６】
前記デバイス依存の色空間はＣＭＹＫ色空間であり、
前記作成ステップは、デバイス非依存の色空間の目標色値に対応するＣＭＹＫ値と、当該ＣＭＹＫ値のうちのＣＭＹ値を所定の割合で各々変位させた複数のＣＭＹＫ値とからなるカラーチャートを作成することを特徴とする請求項４に記載の画像処理方法。
【請求項７】
コンピュータに、請求項４から６のいずれか１項に記載された画像処理方法を実行させるためのプログラム。
【発明の詳細な説明】
【技術分野】
【０００１】
本発明は、出力デバイスでのカラーマッチングに用いられる出力プロファイルを調整可能な画像処理装置等に関する。
【背景技術】
【０００２】
カラープリントにおいて、色の三原色であるシアン、マゼンタ、イエローとブラックの4色に加えて、レッド、グリーン、ブルーといったスポットカラー（特色）を組合せることによって、より鮮やかで自然な色再現ができるようになる。例えば、Ｌａｂ色空間のＬａｂ値とＣＭＹＫ色空間のＣＭＹＫ値の対応表である出力プロファイルを用いて、スポットカラーの目標色値をＣＭＹＫ値に変換するカラーマッチング技術が知られている。
【０００３】
プリンタが出力する色は、インクやトナーの組成によって変わる。同じ色を出すにも機種が違えば方法を変えなければならないため、Ｌａｂ値からＣＭＹＫ値への変換は簡単ではない。そこで、プリンタを使ってカラーチャートを印刷し、測色計でカラーチャートの色を計測し、計測結果をもとに出力プロファイルを調整することが行われる。ところが、たとえ出力プロファイルを適切に調整したとしても、その後の環境変化やその他の要因によってプリンタの状態が変動した場合、プリンタによる印刷出力が目標Ｌａｂ値からずれてしまうことがある。それに対処する方法の一例として、特許文献１には、出力プロファイルの精度が悪い場合や、プリンタの状態変動の影響で調整済みの出力プロファイルから目標Ｌａｂ値を得られない場合に出力プロファイルを調整する方法が記載されている。
【０００４】
【特許文献１】特開２００５−１６７６３０号公報
【発明の開示】
【発明が解決しようとする課題】
【０００５】
しかしながら、特許文献１記載の技術においては、デバイス非依存の空間（Ｌａｂ空間）で変移させた複数のパッチＬａｂカラーは出力プロファイルの精度に依存し、補間推定に適切なパッチ配置位置を得られるとは限らない。また、Ｌａｂ空間で変移させるために、プリンタガマット（プリンタの色再現域）外やプリンタガマット境界付近では、出力プロファイルによっては適切なデバイスカラー値に置き換えてしまうために、補間用のカラーパッチで囲めないという課題がある。さらに、プリンタガマット外の色の検出ができないという課題がある。
【課題を解決するための手段】
【０００６】
本発明の画像処理装置は、デバイス非依存の色空間の目標色値をデバイス依存の色空間の色値に変換する変換手段と、前記変換されたデバイス依存の色空間の色値を調整するため、デバイス非依存の色空間の目標色値に対応するデバイス依存の色空間の色値と、当該色値を所定の割合で各々変位させた複数の色値とからなるカラーチャートを作成する作成手段と、前記作成されたカラーチャートを印刷する印刷手段と、前記印刷されたカラーチャートを測色し、デバイス非依存の色空間の測色値を求める測色手段と、前記デバイス非依存の色空間の目標色値と所定の関係を有する複数の測色値を前記デバイス非依存の色空間上で選択する選択手段と、前記選択された複数の測色値をデバイス依存の色空間の複数の色値に変換し、当該複数の色値から、前記デバイス非依存の色空間の目標色値に対応するデバイス依存の色空間の目標色値を算出する算出手段と、前記算出されたデバイス依存の色空間の目標色値に基づいて前記変換手段を調整する調整手段とを備えることを特徴とする。
【０００７】
本発明の画像処理方法は、デバイス非依存の色空間の目標色値をデバイス依存の色空間の色値に変換する変換ステップと、前記変換されたデバイス依存の色空間の色値を調整するため、デバイス非依存の色空間の目標色値に対応するデバイス依存の色空間の色値と、当該色値を所定の割合で各々変位させた複数の色値とからなるカラーチャートを作成する作成ステップと、前記作成されたカラーチャートを印刷する印刷ステップと、前記印刷されたカラーチャートを測色し、デバイス非依存の色空間の測色値を求める測色ステップと、前記デバイス非依存の色空間の目標色値と所定の関係を有する複数の測色値を前記デバイス非依存の色空間上で選択する選択ステップと、前記選択された複数の測色値をデバイス依存の色空間の複数の色値に変換し、当該複数の色値から、前記デバイス非依存の色空間の目標色値に対応するデバイス依存の色空間の目標色値を算出する算出ステップと、前記算出されたデバイス依存の色空間の目標色値に基づいて前記変換ステップの処理を調整する調整ステップとを備えることを特徴とする。
【０００９】
本発明のプログラムは、コンピュータに、上記方法を実行させることを特徴とする。
【発明の効果】
【００１０】
本発明によれば、デバイス依存の色空間（例えば、ＣＭＹＫ色空間）でカラーパッチを変位させるため、補間推定に適切なパッチ配置位置を得ることができる。また、デバイス依存の色空間でカラーパッチを変位させるため、プリンタガマット（プリンタの色再現域）外やプリンタガマット境界付近を補間用のカラーパッチで囲めることができる。
【発明を実施するための最良の形態】
【００１１】
本発明の実施形態を図面を参照して説明する。
【００１２】
図１は、画像処理装置の構成例を示すブロック図である。
【００１３】
画像処理装置は、ユーザインターフェース（ＵＩ）部１０、コントローラ１１、記憶装置１２、出力デバイスとしてのプリンタ１３、測色計１４を備える。
【００１４】
ユーザインターフェース部１０は、表示部及び操作部を備え、ユーザに対する情報表示やユーザによるデータ入力を受け付ける。コントローラ１１は、記憶装置１２に記憶されたプログラムに従って命令を実行し、コントローラ１１に接続された各ユニットを制御する。
【００１５】
本実施形態においては、記憶装置１２は、上記プログラムの他に、スポットカラー辞書１２６と出力プロファイル１２７を対象メディア１２０毎に記憶する。対象メディア１２０とは、プリンタ１３が出力を行う紙媒体またはそれに類する媒体の種類（上質紙、コート紙、再生紙等）のことである。対象メディア毎に紙の白色度や表面光沢などの特性が異なるため、画像処理装置は、色に関する管理データを対象メディア毎に管理する。
【００１６】
スポットカラー辞書１２６には、色関連のデータ１２１〜１２５が登録されている。
１２１は、名前付き色空間のカラー名（色名）である。１２２は、デバイス非依存の色空間（例えばＬａｂ色空間）の目標色値である。１２３は、デバイス依存の色空間（例えば、ＣＭＹＫ色空間）の目標色デバイス色値である。１２４は、デバイス依存の色空間のデバイス色値パッチデータである。１２５は、デバイス非依存の色空間のカラーチャート測色値である。尚、後述する説明では、デバイス非依存の色空間はＬａｂ色空間であり、デバイス依存の色空間はＣＭＹＫ色空間であるとする。
【００１７】
カラー名１２１は、名前付きカラーの名称（ブラック，レッド，マゼンタ，ブルー，シアン，ホワイト等）である。
【００１８】
目標色値１２２は、カラー名１２１が示す名前付きカラーの色値であって、予めユーザが測色計によってカラーチャートを測色することにより得られるＬａｂ色空間の色値である。
【００１９】
目標色デバイス色値１２３は、カラー名１２１が示す名前付きカラーの目標色値（Ｌａｂ色空間）１２２に対応するＣＭＹＫ色空間の色値である。
【００２０】
デバイス色パッチデータ１２４は、目標色値（Ｌａｂ色空間）１２１に対応するＣＭＹＫ色空間のパッチデータである。画像処理装置は、デバイス色パッチデータ（ＣＭＹＫ色空間）１２４を用いてカラーチャート１３０を作成し印刷出力する。
【００２１】
カラーチャート測色値１２５は、カラーチャート１３０を測色計１４で測色することにより得られるＬａｂ色空間の色値である。
【００２２】
出力プロファイル１２７は、プロファイル作成ツールなどを用いて作成される。出力プロファイル１２７には、対象メディア１２０への印刷時における、Ｌａｂ色空間の色値とＣＭＹＫ色空間の色値の対応表が記述される。
【００２３】
図２は、名前付きカラー（Ｌａｂ色空間）を目標色デバイス色値（ＣＭＹＫ色空間）に変換し色出力する処理の流れを示すフローチャートである。
【００２４】
ステップＳ２１において、ユーザは、画像処理装置に対して、名前付きカラー（Ｌａｂ色空間）での出力指定を行う。
【００２５】
ステップＳ２２において、画像処理装置は、名前付カラー（Ｌａｂ色空間）を目標色デバイス色値（ＣＭＹＫ色空間）に変換する。この処理の詳細を、図３を用いて説明する。
【００２６】
ステップＳ２１で名前付きカラー（Ｌａｂ色空間）の出力指定がされると、ステップＳ３１において、画像処理装置は、スポットカラー辞書１２６を検索して、指定された名前付カラー（Ｌａｂ色空間）を読み出す。
【００２７】
ステップＳ３２において、画像処理装置は、名前付きカラー（Ｌａｂ色空間）に関連付けられた目標色デバイス色値（ＣＭＹＫ色空間）１２３の格納領域を調べる。そして、指定された名前付きカラー（Ｌａｂ色空間）に対応する目標色デバイス色値（ＣＭＹＫ色空間）が格納領域に既に存在するか否かを判定する。判定した結果、目標色デバイス色値（ＣＭＹＫ色空間）が存在すれば、画像処理装置は、ステップＳ３３の処理に進み、存在しなければステップＳ３４の処理に進む。
【００２８】
ステップＳ３３において、画像処理装置は、格納領域に存在する目標色デバイス色値（ＣＭＹＫ色空間）を取得する。これに対して、格納領域に目標色デバイス色値（ＣＭＹＫ色空間）が存在しない場合は、出力プロファイル１２７を用いて目標色値１２２（Ｌａｂ色空間）を目標色デバイス色値（ＣＭＹＫ色空間）に変換する。
【００２９】
図２に戻り説明すると、ステップＳ２３において、画像処理装置は、ステップＳ３３で得られた目標色デバイス色値（ＣＭＹＫ色空間）での色出力を行う。
【００３０】
以上が、名前付きカラー（Ｌａｂ色空間）を目標色デバイス色値（ＣＭＹＫ色空間）で色出力する処理の流れである。
【００３１】
図４は、名前付きカラーの出力色を調整する処理の流れを示すフローチャートである。
【００３２】
画像処理装置には、名前付きカラーの出力色を目標色値（Ｌａｂ色空間）で再現可能な目標色デバイス色値（ＣＭＹＫ色空間）１２３を調整する調整ツールが組み込まれている。調整ツールは、ある対象メディア１２０と関連付けられたカラー名（色名）１２１をスポットカラー辞書から読み出し、調整対象のカラー名リストにしてユーザインターフェース部１０に表示する。図５は、調整ツールが表示するユーザインターフェース画面の一例を示す図である。
【００３３】
ステップＳ４１において、ユーザは、ユーザインターフェース画面に表示された調整対象のカラー名リストの中から調整するカラー名を指定する。図５に示す画面おいては、対象メディアとして上質紙が指定され、調整対象のカラー名としてレッドが指定されている。
【００３４】
ステップＳ４２において、画像処理装置は、ユーザが指定したカラー名の名前付カラー（Ｌａｂ色空間）をスポットカラー辞書１２６から読み出す。
【００３５】
ステップＳ４３において、画像処理装置は、以下に説明する通り、デバイス色値パッチデータ（ＣＭＹＫ色空間）を用いて調整用のカラーチャートを作成し、そのカラーチャートをプリンタ１３で印刷出力する。
【００３６】
図６は、デバイス色値パッチデータ（ＣＭＹＫ色空間）の一例を示す図である。
【００３７】
パッチ０〜パッチ８の各出力値は、デバイス色値パッチデータ（ＣＭＹＫ色空間）を示す。パッチ０は、ユーザが指定したカラー名１２１が示す名前付きカラーの目標色値（Ｌａｂ色空間）１２２を出力プロファイル１２７で色変換することにより得られるＣＭＹＫ空間の出力値（Ｃ０，Ｍ０，Ｙ０，Ｋ０）６１を示す。出力値は網点面積率を表し、０〜１００％の値を示す。網点面積率とは、単位面積あたりの網点の占めている割合を表し、これにより階調の程度が分かる。網点面積率は、白地の場合が０％、ベタ（黒地）の場合が１００％である。パッチ１〜８は、パッチ０の出力値６１を基準にして、ＣＭＹ値を所定の変位率α（％）で変位させた出力値（６２〜６９）を示す。プリンタの経時変動に伴う再調整の場合には、目標色デバイス色値（ＣＭＹＫ色空間）１２３と出力プロファイル１２７の更新日時を比較する。比較した結果、目標色デバイス色値（ＣＭＹＫ色空間）１２３が新しい場合には、目標色デバイス色値１２３（ＣＭＹＫ色空間）を出力値（Ｃ０，Ｍ０，Ｙ０，Ｋ０）６１としてもよい。
【００３８】
ステップＳ４３において、画像処理装置は、図６に示す出力値（６１〜６９）をデバイス色値パッチデータ（ＣＭＹＫ色空間）１２４としてスポットカラー辞書１２６に登録する。
【００３９】
図７は、ステップＳ４３の処理において印刷出力されるカラーチャートの一例を示す図である。図６に示す出力値（６１〜６９）は、パッチ出力７１〜７９として印刷される。
【００４０】
ステップＳ４４において、ユーザは、測色計１４を用いて、ステップＳ４３の処理で印刷出力されたカラーチャートを測色し、測色値をカラーチャート測色値（Ｌａｂ色空間）１２５としてスポットカラー辞書１２６に登録する。図８は、測色計１４を用いてパッチ出力７１〜７９を測色することによって得られた測色値（８１〜８９）の一例を示す図である。
【００４１】
ステップＳ４５において、画像処理装置は、上記カラーチャート測色値（Ｌａｂ色空間）に基づいて、指定されたカラー名１２１が示す名前付きカラーの目標値（Ｌａｂ色空間）１２２を再現可能な目標色デバイス色値（ＣＭＹＫ色空間）１２３を算出する。こうして算出された目標色デバイス色値（ＣＭＹＫ色空間）に基づいて、出力プロファイル１２７が調整される。
【００４２】
図９は、ステップＳ４５の処理の詳細を示すフローチャートである。
【００４３】
ステップＳ９１において、画像処理装置は、Ｌａｂ色空間の目標色値と所定の関係を有する複数のカラーチャート測色値（Ｌａｂ色空間）を決定する。すなわち、画像処理装置は、Ｌａｂ色空間上で、目標色値（Ｌａｂ色空間）１２２を空間的に四面体で囲む４点のカラーチャート測色値（Ｌａｂ色空間）を決定する。４点のうち１点は、カラーチャート測色値（Ｌａｂ色空間）７１である。残りの３点は、後述する方法により、カラーチャート測色値（Ｌａｂ色空間）７２〜７９から選択される。図１０は、Ｌａｂ色空間において目標色値ＰＴが４つのカラーチャート測色値（Ｐ０，Ｐ１，Ｐ２，Ｐ３）により空間的に囲まれていることを示す模式図である。Ｐ０は、カラーチャート測色値（Ｌａｂ色空間）７１のＬａｂベクトル値を示す。Ｐ１、Ｐ２、Ｐ３は、図７に示すカラーチャート測色値（Ｌａｂ色空間）７２〜７９のうちのいずれか３点のＬａｂベクトル値を示す。ＰＴは、目標色値（Ｌａｂ色空間）１２２のＬａｂベクトル値を示す。
【００４４】
ステップＳ９２において、画像処理装置は、式１を満たす３点（Ｐ１，Ｐ２，Ｐ３）をカラーチャート測色値（７２〜７９）の中から選び、それらの点を、ＰＴを囲む３点として決定する。
【００４５】
ＰＴ＝Ｐ０＋ｋ（Ｐ１−Ｐ０）＋ｍ（Ｐ２−Ｐ０）＋ｎ（Ｐ３−Ｐ０）・・・式１
ただし、ｋ＞０、ｍ＞０、ｎ＞０（ｋ、ｍ、ｎは定数）、ｋ＋ｍ＋ｎ＜１
これによって、Ｐ０〜Ｐ３の４点と、定数ｋ、ｍ、ｎが決定する。
【００４６】
ステップＳ９３において、画像処理装置は、名前付きカラー１２１の目標色値（Ｌａｂ色空間）１２２を再現可能な目標色デバイス色値（ＣＭＹＫ色空間）１２３を算出する。算出には、Ｐ０（Ｌａｂ色空間）に対応するＣＭＹＫ色空間の出力値６１と、Ｐ１〜Ｐ３（Ｌａｂ色空間）に対応するＣＭＹＫ色空間の出力値（６２〜６９のうちのいずれか３点）が用いられる。すなわち、四面体補間の原理より、
ＤＰＴ＝ＤＰ０＋ｋ（ＤＰ１−ＤＰ０）＋ｍ（ＤＰ２−ＤＰ０）＋ｎ（ＤＰ３−ＤＰ０）・・・式２
が成立する（ｋ、ｍ、ｎは、式１を満たす定数）。
【００４７】
ここで、ＤＰ０は、Ｐ０（Ｌａｂ色空間）に対応する出力値（ＣＭＹＫ色空間）６１である。ＤＰ１〜ＤＰ３は、Ｐ１〜Ｐ３（Ｌａｂ色空間）に対応する出力値（ＣＭＹＫ色空間）である。ＤＰＴは、ＰＴ（Ｌａｂ色空間）に対応する目標色デバイス色値（ＣＭＹＫ色空間）１２３である。
【００４８】
したがって、式２を用いることにより、目標色値ＰＴ（Ｌａｂ色空間）を再現可能な目標色デバイス色値ＤＰＴ（ＣＭＹＫ色空間）を算出することができる。
【００４９】
上記の実施例において、目標色値ＰＴ（Ｌａｂ色空間）がＰ０〜Ｐ３（Ｌａｂ色空間）により空間的に囲まれない状況が考えられる。すなわち、図１１に示すように、Ｐ０から見て、Ｐ１〜Ｐ３によって構成される空間上の３角形（Ｐ１Ｐ２Ｐ３平面）を貫く延長線上に目標色値ＰＴ（Ｌａｂ色空間）１２２が存在する場合がある。この場合、ＰＴ、Ｐ１〜Ｐ３は式３を満たす。
【００５０】
ＰＴ＝Ｐ０＋ｋ（Ｐ１−Ｐ０）＋ｍ（Ｐ２−Ｐ０）＋ｎ（Ｐ３−Ｐ０）・・・式３
ただし、ｋ＞０、ｍ＞０、ｎ＞０（ｋ、ｍ、ｎは定数）、ｋ＋ｍ＋ｎ＞＝１（等式は目標色値がＰ１〜３平面上に位置する場合）
しがって、上述の実施形態と同様に、式３を満たす３点（Ｐ１〜Ｐ３）を測色値（７２〜７９）の中から求め、さらに式２を用いることのよって、目標色値ＰＴ（Ｌａｂ色空間）を再現可能な目標色デバイス色値ＤＰＴ（ＣＭＹＫ色空間）１２３を算出できる。
【００５１】
上述の実施形態においては、デバイス色値はＣＭＹＫ値であるとしたが、ＲＧＢ値であってもよい。その場合、ＲＧＢ値を変移させることにより、目標色値（Ｌａｂ色空間）を再現可能なＲＧＢ値を得ることができる。また、デバイス色値は、ＣＭＹＫ値にＣＭＹＫ値以外の他の特色を加えたものであってもよい。その場合、ＣＭＹを変移させることにより、目標色値（Ｌａｂ色空間）を再現可能なデバイス色値（ＣＭＹＫ＋特色値）を得ることができる。また、図６に示す例では、ＣＭＹの変移規則は３次色の同時変移であったが、例えば２次色の変移であってもよい（図１２参照）。また、ＣＭＹの変位規則は１次色の変移であってもよい。また、図６に示す例では、ＣＭＹの変移量は一定であったが、例えば、調整対象となる目標色値が含まれる色相に応じて、パッチ毎の変異量を変化させてもよい。
【００５２】
（他の実施形態）
本発明は、システム、装置、方法、コンピュータプログラム又はコンピュータ読み取り可能な記録媒体の実施形態をとることができる。また、本発明は、複数の機器から構成されるシステム又は１つの装置に適用可能である。
【００５３】
本発明の実施形態には、記録媒体又はネットワークを介して、前述した本発明の機能を実現するコンピュータプログラムをシステム又は装置に供給し、そのシステム又は装置が備えるコンピュータがそのプログラムを実行することが含まれる。記録媒体はコンピュータ読み取り可能な記録媒体である。よって、実施形態には、本発明の機能を実現するコンピュータプログラム自体も含まれる。コンピュータプログラムは、オブジェクトコード、インタプリタにより実行されるプログラム、ＯＳに供給するスクリプトデータ等を含む。記録媒体は、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ等である。
【００５４】
記録媒体から読み出されたコンピュータプログラムが、コンピュータに挿入された機能拡張ボードやコンピュータに接続された機能拡張ユニットに備わるメモリに書き込まれた後においても前述した実施形態の機能が実現され得る。すなわち、コンピュータプログラムの指示に基づき、機能拡張ボードや機能拡張ユニットに備わるＣＰＵなどが実際の処理の一部または全部を行うことによっても前述した実施形態の機能が実現され得る。
【図面の簡単な説明】
【００５５】
【図１】画像処理装置の構成例を示すブロック図である。
【図２】名前付きカラーを目標色デバイス色値に変換し色出力する処理の流れを示すフローチャートである。
【図３】名前付カラーを目標色デバイス色値に変換する処理の詳細を示すフローチャートである。
【図４】名前付きカラーの出力色を調整する処理の流れを示すフローチャートである。
【図５】名前付きカラーの出力色を目標色値で再現可能な目標色デバイス色値を調整する調整ツールが表示するユーザインターフェース画面の一例を示す図である。
【図６】デバイス色パッチデータの一例を示す図である。
【図７】カラーチャートの一例を示す図である。
【図８】測色計１４を用いてパッチ出力７１〜７９を測色することによって得られた測色値（８１〜８９）の例を示す図である。
【図９】名前付きカラーの目標色値を再現可能な目標色デバイス色値を求める処理の詳細を示すフローチャートである。
【図１０】目標色値ＰＴが４つの測色値（Ｐ０，Ｐ１，Ｐ２，Ｐ３）によりが空間的に囲まれていることを示す模式図である。
【図１１】目標色値ＰＴが、Ｐ０から見て、Ｐ１〜Ｐ３によって構成される空間上の３角形（Ｐ１Ｐ２Ｐ３平面）を貫く延長線上に存在することを示す模式図である。
【図１２】デバイス色パッチデータの一例を示す図である。
【符号の説明】
【００５６】
１０  ユーザインターフェース部
１１  コントローラ
１２  記憶装置
１３  プリンタ
１４  測色器
１２６  スポットカラー辞書
１２７  出力プロファイル
【図１】
0004972014.tif 000002
【図２】
0004972014.tif 000003
【図３】
0004972014.tif 000004
【図４】
0004972014.tif 000005
【図５】
0004972014.tif 000006
【図６】
0004972014.tif 000007
【図７】
0004972014.tif 000008
【図８】
0004972014.tif 000009
【図９】
0004972014.tif 000010
【図１０】
0004972014.tif 000011
【図１１】
0004972014.tif 000012
【図１２】
0004972014.tif 000013